(57)【要約】      （修正有）【課題】可変型幾何学的形態タービンターボチャージャ内のピーク流れを増加させるための方法を提供する。【解決手段】ベーンパックアセンブリの下部ベーンリングまたは前記下部ベーンリングの下のタービンハウジングのうちの少なくとも一つを通って少なくとも一つの内部バイパス通路を形成することによって、流体の流れをタービンインペラにバイパスさせるステップ、前記少なくとも一つの内部バイパス通路内にベーン構成要素の第１端部を提供するステップ、及び前記ベーン構成要素の前記第１端部をロータリーバルブとして使用して、前記少なくとも一つの内部バイパス通路を通じて流体の流れを制御するステップを含む。【選択図】なし【特許請求の範囲】
【請求項１】
タービンホイールを収容するように構成され配置された本体、前記本体の上流にあり、前記本体に動作可能に連結された流入通路、前記本体の下流にあり、前記本体に動作可能に連結された流出通路を含むタービンハウジング；
前記タービン流入通路と動作可能に連通するベーンパックアセンブリ（ｖａｎｅ  ｐａｃｋ  ａｓｓｅｍｂｌｙ）であって、上部ベーンリング、下部ベーンリング、及び前記上部ベーンリングと前記下部ベーンリングとの間に介在された複数のベーン構成要素を含む、前記ベーンパックアセンブリ；及び
前記下部ベーンリングまたは前記下部レーンリングの下の前記タービンハウジングのうちの少なくとも一つを通って延長する少なくとも一つの内部バイパス通路であって、前記流入通路及び前記流出通路と動作可能に連通する、前記少なくとも一つの内部バイパス通路を含み；
前記少なくとも一つのベーン構成要素の第１端部は、前記少なくとも一つの内部バイパス通路内に延長され、ロータリーバルブとして作動するように構成され配置され、前記少なくとも一つの内部バイパス通路を通る流体を防止または許容する、可変型幾何学的形態タービン。
【請求項２】
前記少なくとも一つのベーン構成要素の前記第１端部は、前記少なくとも一つのベーン構成要素の前記第１端部が半円形の断面を有するように切欠き部（ｃｕｔｏｕｔ）を含む、請求項１に記載の可変型幾何学的形態タービン。
【請求項３】
前記少なくとも一つのベーン構成要素の前記第１端部は、前記ロータリーバルブを形成するようにテーパーされる、請求項１に記載の可変型幾何学的形態タービン。
【請求項４】
前記少なくとも一つのベーン構成要素の前記第１端部は、バルブに取り付けられる、請求項１に記載の可変型幾何学的形態タービン。
【請求項５】
前記少なくとも一つのバイパス通路は、第１部分及び第２部分を含み、前記少なくとも一つのベーン構成要素は、前記第１部分が前記少なくとも一つのベーン構成要素の回転軸に垂直になるように前記第１部分を通って延長され、前記第２部分は、前記少なくとも一つのベーン構成要素の下流にある前記第１部分から前記タービンホイールの下流にある前記流出通路まで延長される、請求項１に記載の可変型幾何学的形態タービン。
【請求項６】
前記第１部分は、前記下部ベーンリングを通って延長され、前記第２部分は、前記タービンハウジングを通って延長される、請求項５に記載の可変型幾何学的形態タービン。
【請求項７】
前記第１部分及び前記第２部分は、前記下部ベーンリングの下の前記タービンハウジングを通って延長される、請求項５に記載の可変型幾何学的形態タービン。
【請求項８】
前記第１部分は、前記下部ベーンリング及び前記下部ベーンリングの下の前記タービンハウジングを通って延長され、前記第２部分は、前記タービンハウジングを通って延長される、請求項５に記載の可変型幾何学的形態タービン。
【請求項９】
前記少なくとも一つの内部バイパス通路は、円形の断面を有する、請求項５に記載の可変型幾何学的形態タービン。
【請求項１０】
ベーンパックアセンブリの下部ベーンリングまたは前記下部ベーンリングの下のタービンハウジングのうちの少なくとも一つを通って少なくとも一つの内部バイパス通路を形成することによって、流体の流れをタービンインペラにバイパスさせるステップ；
前記少なくとも一つの内部バイパス通路内にベーン構成要素の第１端部を提供するステップ；及び
前記ベーン構成要素の前記第１端部をロータリーバルブとして使用して、前記少なくとも一つの内部バイパス通路を通じて流体の流れを制御するステップを含む、可変型幾何学的形態タービン内のピーク流れを増加させるための方法。
【請求項１１】
前記少なくとも一つの内部バイパス通路を通る流体の流れを制御するステップは、前記ベーン構成要素を第１位置に回転させて前記少なくとも一つの内部バイパス通路を通る流体の流れを許容し、前記ベーン構成要素を第２位置に回転させて前記少なくとも一つの内部バイパス通路を通過する流体の流れを遮断するステップ；及び前記ベーン構成要素を前記第１と前記第２位置との間の第３位置に回転させることによって、前記少なくとも一つの内部バイパス通路を通じて流体の流れを調節するステップを含む、請求項１０に記載の方法。
【請求項１２】
前記ベーン構成要素の前記第１端部の一部を切断して前記ロータリーバルブを形成するステップをさらに含む、請求項１０に記載の方法。
【請求項１３】
前記ベーン構成要素の前記第１端部の一部を９０度未満の角度で研削して、前記ロータリーバルブを形成するステップをさらに含む、請求項１０に記載の方法。
【請求項１４】
前記ロータリーバルブとして作動するように前記ベーン構成要素の前記第１端部内にバルブを形成するステップをさらに含む、請求項１０に記載の方法。
【請求項１５】
前記ロータリーバルブとして作動するように前記ベーン構成要素の前記第１端部にバルブを取り付けるステップをさらに含む、請求項１０に記載の方法。
【請求項１６】
流入通路、前記流入通路の下流にある本体、前記本体の下流にある流出通路を有するタービンハウジング、前記本体に回転可能に取り付けられたタービンホイール、前記流入通路と動作可能に連通する前記ベーンパックアセンブリを含むタービンを提供するステップであって、
前記ベーンパックアセンブリが上部ベーンリング、下部ベーンリング、及び前記上部ベーンリングと前記下部ベーンリングとの間に介在された複数のベーン構成要素を含む、前記タービンを提供するステップ；
前記下部ベーンリングまたは前記下部ベーンリングの下のタービンハウジングのうちの少なくとも一つを通って少なくとも一つの内部バイパス通路を形成するステップであって、前記少なくとも一つの内部バイパス通路が前記流入通路から前記タービンホイールをバイパスする前記流出通路まで延長される、前記内部バイパス通路を形成するステップ；
前記複数のベーン構成要素のうちの少なくとも一つを前記少なくとも一つの内部バイパス通路内に提供するステップ；
前記複数のベーン構成要素のうちの少なくとも一つの第１端部をロータリーバルブとして使用するステップ；
前記複数のベーン構成要素のうちの少なくとも一つを開放位置に回転させて流体が前記少なくとも一つの内部バイパス通路を通って流れるようにするステップ；及び
前記複数のベーン構成要素のうちの少なくとも一つを閉鎖位置に回転させて流体が前記少なくとも一つの内部バイパス通路内に進入することを防止するステップを含む、流体の流れをタービンホイールにバイパスさせて可変型幾何学的形態タービンターボチャージャ内のピーク流れを増加させるための方法。
【請求項１７】
前記複数のベーン構成要素のうちの少なくとも一つを前記開放位置と前記閉鎖位置との間で回転させることによって、前記少なくとも一つのバイパス通路を通じて流体の流れを調節するステップをさらに含む、請求項１６に記載の方法。
【発明の詳細な説明】
【技術分野】
【０００１】
本開示が、一般的に関連する分野は、ターボチャージャを含む。
【背景技術】
【０００２】
可変型タービン幾何学的形態（ｖａｒｉａｂｌｅ  ｔｕｒｂｉｎｅ  ｇｅｏｍｅｔｒｙ）ターボチャージャは、タービンホイールの前方にあるベーン（ｖａｎｅ）を使用して、タービンの幾何学的構造を調整することができる。
【発明の概要】
【発明が解決しようとする課題】
【０００３】
多数の変形例は、タービンホイールを収容するように構成され、配置された本体、前記本体の上流にあり、前記本体に動作可能に連結された流入通路、前記本体の下流にあり、前記本体に動作可能に連結された流出通路を含むタービンハウジング；前記タービン流入通路と動作可能に連通するベーンパックアセンブリ（ｖａｎｅ  ｐａｃｋ  ａｓｓｅｍｂｌｙ）であって、上部ベーンリング、下部ベーンリング、及び前記上部ベーンリングと前記下部ベーンリングとの間に介在された複数のベーン構成要素を含む、前記ベーンパックアセンブリ；及び前記下部ベーンリングまたは前記下部ベーンリングの下の前記タービンハウジングのうちの少なくとも一つを通って延長される少なくとも一つの内部バイパス通路であって、前記流入通路及び前記流出通路と動作可能に連通する、前記少なくとも一つの内部バイパス通路を含み；前記少なくとも一つのベーン構成要素の第１端部は、前記少なくとも一つの内部バイパス通路内に延長され、ロータリーバルブとして作用するように構成され配置され、前記少なくとも一つの内部バイパス通路を通る流体を防止するまたは許容する、可変型幾何学的形態タービンを含むことができる。
【課題を解決するための手段】
【０００４】
多数の変形例は、ベーンパックアセンブリの下部ベーンリングまたは前記下部ベーンリングの下のタービンハウジングのうちの少なくとも一つを通って少なくとも一つの内部バイパス通路を形成することによって、流体の流れをタービンインペラへバイパスさせるステップ；前記少なくとも一つの内部バイパス通路内にベーン構成要素の第１端部を提供するステップ；及び前記ベーン構成要素の前記第１端部をロータリーバルブとして使用して、前記少なくとも一つの内部バイパス通路を通じて流体の流れを制御するステップを含む、可変型幾何学的形態タービンターボチャージャ内のピーク流れを増加させるための方法を含むことができる。
【０００５】
多数の変形例は、流入通路、前記流入通路の下流にある本体、前記本体の下流にある流出通路を有するタービンハウジング、前記本体に回転可能に取り付けられたタービンホイール、前記流入通路と動作可能に連通するベーンパックアセンブリを含むタービンを提供するステップであって、前記ベーンパックアセンブリが上部ベーンリング、下部ベーンリング、及び前記上部ベーンリングと前記下部ベーンリングとの間に介在された複数のベーン構成要素を含む、前記タービンを提供するステップ；前記下部ベーンリングまたは前記下部ベーンリングの下のタービンハウジングのうちの少なくとも一つを通って少なくとも一つの内部バイパス通路を形成するステップであって、前記少なくとも一つの内部バイパス通路が前記流入通路から前記タービンホイールをバイパスする前記流出通路に延長される、前記内部バイパス通路を形成するステップ；前記複数のベーン構成要素のうちの少なくとも一つを前記少なくとも一つの内部バイパス通路内に提供するステップ；前記複数のベーン構成要素のうちの少なくとも一つの第１端部をロータリーバルブとして使用するステップ；前記複数のベーン構成要素のうちの少なくとも一つを開放位置に回転させて流体が前記少なくとも一つの内部バイパス通路を通って流れるようにするステップ；及び前記複数のベーン構成要素のうちの少なくとも一つを閉鎖位置に回転させて流体が前記少なくとも一つの内部バイパス通路内に進入することを防止するステップを含む、流体の流れをタービンホイールにバイパスさせて、可変型幾何学的形態タービンターボチャージャ内のピーク流れを増加させるための方法を含むことができる。
【０００６】
本発明の範囲内の他の例示的な変形例は、以下に提供される詳細な説明から明らかになるだろう。詳細な説明及び特定の実施例は、本発明の範囲内の変形例を開示しているが、単に例示するために意図されたものであり、本発明の範囲を限定しようとするものではないことを理解すべきである。
【図面の簡単な説明】
【０００７】
本発明の範囲内の変形例の選択的実施例は、詳細な説明及び添付された図面からより十分に理解されるだろう。
【図１】多数の変形例によるターボチャージャの部分断面図を示す。
【図２】多数の変形例によるターボチャージャの部分断面図を示す。
【図３】多数の変形例によるタービンの部分斜視図を示す。
【図４】多数の変形例による下部ベーンリングを示す。
【図５】多数の変形例によるタービンの部分断面図を示す。
【図６】多数の変形例によるタービンハウジングの斜視図を示す。
【図７】多数の変形例によるベーン構成要素の斜視図を示す。
【図８】多数の変形例によるタービンの部分断面図を示す。
【図９】多数の変形例によるタービンハウジングの斜視図を示す。
【図１０】多数の変形例によるベーン構成要素の斜視図を示す。
【図１１】多数の変形例による開放位置における内部バイパス通路及びベーンポストの拡大断面図を示す。
【図１２】多数の変形例による閉鎖位置における内部バイパス通路及びベーンポストの断面図を示す。
【図１３】多数の変形例による開放位置における内部バイパス通路及びベーンポストの断面図を示す。
【図１４】多数の変形例による閉鎖位置における内部バイパス通路及びベーンポストの断面図を示す。
【発明を実施するための形態】
【０００８】
以下の変形例に対する説明は、本質的に単純な例示に過ぎず、決して本発明、その適用、または用途の範囲を限定するものではない。
【０００９】
図１及び図２を参照すると、多数の変形例において、エンジン吸気システムは、可変型幾何学的形態（ＶＴＧ）ターボチャージャ２０を含むことができる。ＶＴＧターボチャージャ２０は、高いレベルの効率を維持すると同時に、エンジンの可用な流量範囲を拡大するのに使用され得る。ＶＴＧターボチャージャ２０は、シャフト２４を介して圧縮機２３に動作可能に取り付けられ得る可変型幾何学的形態タービン２２を含むことができる。可変型幾何学的形態タービン２２は、排気ガス流体の流れによって駆動されてシャフト２４を回転させた後に、圧縮機２３内のホイール（図示せず）を駆動させることができるタービンホイール３６を含むことができる。その後、圧縮機２３は、内縁機関内に進入し得る空気を加圧することができる。
【００１０】
多数の変形例において、可変型幾何学的形態タービン２２は、このタービン２２内に流体の流れを受け入れることができる流入通路３２、この流入通路３２の下流にあることができ、流体の流れによって駆動され得るタービンホイール３６を収容することができる本体３４、及び流体の流れが可変型幾何学的形態タービン２２を出ることができるように構成され配置され得る、本体３４の下流にある流出通路３８を有するタービンハウジング２６を含むことができる。可変型幾何学的形態タービン２２は、流入通路３２内に配置され得るベーンパックアセンブリ４０を使用して、その幾何学的構造を可変させるように構成され配置されることができ、複数のベーン７２を一体に回転させてガススワール角（ｓｗｉｒｌ  ａｎｇｌｅ）及び流入速度を可変して、タービン２２の出力を調節するように構成され配置され得る。
【００１１】
図３〜図８を参照すると、多数の変形例において、ベーンパックアセンブリ４０は、下部ベーンリング４２、上部ベーンリング４６、及び下部ベーンリング４２と上部ベーンリング４６との間に介在された複数のベーン構成要素５０を含むことができる。タービンハウジング２６は、下部ベーンリング４２のためのシート２８を提供するように構成され配置されることができ、その変形例が図８に示されている。それぞれのベーン構成要素５０は、ベーンポスト５２、このベーンポスト５２と共に回転することができるベーン７２を含むことができる。ベーンポスト５２の第１端部５４は、下部ベーンリング４２内の開口部４４内にのみ延長されるように構成され配置され得るか、または下部ベーンリング４２内の開口部４４及びタービンハウジングシート２８内の開口部３０内に延長され得る。ベーンポスト５２の第２端部６６は、上部ベーンリング４６内の開口部４８を通って延長されるように構成され配置され得る。多数の変形例において、調節リング７４は、上部ベーンリング４６の周りに延長され得る。
【００１２】
図１〜図６、図８及び図９を参照すると、多数の変形例において、一つ以上の内部バイパス通路またはウエイストゲート通路７８は、可変型幾何学的形態タービン２２内に延長されることができ、流入通路３２からタービンホイール３６をバイパスする流出通路３８に流体の流れを誘導するように構成され配置され得るので、所定のベーン位置においてピーク流れの増加を提供することができる。多数の変形例において、内部バイパス通路７８は、第１部分８０及び第２部分８２を含むことができる。第１部分８０は、流入通路３２と動作可能に連通することができ、ベーンポスト５２の回転軸と垂直に整列され得るので、ベーンポスト５２の第１端部５４が内部バイパス通路７８の第１部分８０内に延長され得る。第１部分８０は、図５、図６、図８及び図９に示された変形例のように、下部ベーンリングシート２８の下のタービンハウジング２６を通って延長されることができ、及び／または下部ベーンリング４２を通って延長され、その変形例は、図１〜図４に示す。多数の変形例において、第２部分８２は、ベーンポスト５２の下流にあることができ、第１部分８０及びタービンホイール３６の下流にあるタービン流出通路３８と動作可能に連通することができる。一つ以上の内部バイパス通路７８は、これに限定されないが、円筒形を含む任意の数の構成であり得る。内部バイパス通路７８の第１部分８０及び第２部分８２は、これに限定されないが、５ｍｍを含む任意の数の直径を有することができる。第１部分８０及び第２部分８２は、同じ直径を有することができるか、異なる直径を有することができる。第１部分８０及び第２部分８２を有する内部バイパス通路７８は、単に例示のために前述されており、内部バイパス通路７８は、本発明の思想及び範囲を逸脱せずに、２つよりも多い部分を含むことができることに留意すべきである。
【００１３】
図７、図１０及び図１１〜図１４を参照すると、多数の変形例において、ベーン構成要素５０のベーンポスト５２の第１端部５４は、内部バイパス通路７８内に許容された流体の流れを制御し得るロータリーゲートまたはバルブとして作動するように構成され配置され得る。図７を参照すると、多数の変形例において、ベーンポスト５２の第１端部５４は、ロータリーゲート５５を規定し得る開口部５６を含むことができる。開口部５６は、ベーンポスト５２の第１端部５４内に形成され得るか、ベーンポスト５２が形成された後に切欠きされるとか研削され得る。多数の変形例において、開口部５６は、ベーンポスト５２の最下面に垂直であり得るので、ベーンポスト５２の第１端部５４の残りの部分が半円形の断面を有するか、またはベーンポスト５２の第１端部５４は、ベーンポスト５２の最下面に９０度未満の角度で延長される開口部を含むことができるので、第１端部５４の残りの部分が傾斜されるかテーパーされ、より多く変化されるか進歩的な流量制御を提供することができる。図１１及び図１２を参照すると、ベーンポスト５２が図１１に示された変形例のように、第１（開放）位置１１０に回転されるときには、流体がベーンポスト５２の第１端部５４の開口部５６を通って流れて流体が内部バイパス通路７８の第２部分８２内に進入し得るようにベーンポスト５２のロータリーゲート５５が配置されることができ、ベーンポスト５２が、図１２に示された変形例のように、第２（閉鎖）位置１１２に回転されるときには、ロータリーゲート５５が流体の流れが内部バイパス通路７８の第２部分８２内に進入することを遮断することができるように、ベーンポスト５２が構成され配置され得る。多数の変形例において、流体の流れ量は、またベーンポスト５２を第１位置１１０と第２位置１１２との間の角度で回転させることによって、調節され得る。
【００１４】
図１０を参照すると、多数の変形例において、ベーン構成要素５０のベーンポスト５２の第１端部５４は、これに限定されないが、ベーンポスト５２の最下面を含むベーンポスト５２の最下部７０に取り付けられ得るバルブ５８を含むことができる。バルブ５８は、ベーン構成要素５０と共に形成されてベーン構成要素５０と単一の連続的なユニットになり得るか、ベーン構成要素５０に取り付けられ得る分離した部品であり得る。バルブ５８は、このバルブ５８の幅ｗを延長させることができる第１面６０と、対向する第２面６２、及びバルブ５８の厚さｔを表すことができる少なくとも一つの側面６４を含むことができる。図１３及び図１４を参照すると、内部バイパス通路７８の第１部分８０は、広幅部１１４を含むことができ、この広幅部１１４は、円形であることができ、バルブ５８が広幅部１１４内で回転できるようにバルブ５８を収容するように構成され配置され得る。そうすると、バルブ５８は、図１３に示された変形例のように、第１（開放）位置１１０に回転され得るので、バルブ５８の第１及び第２面６０、６２が流体の流れと平行になって流体が内部バイパス通路７８の第１部分８０を通って第２部分８２内に流れることができ、ベーンポスト５２が図１４に示された変形例のように、第２（閉鎖）位置１１２に回転されるときには、流体の流れがバルブ５８の第１及び第２面６０、６２に垂直であり得るので、流体の流れが内部バイパス通路７８の第２部分８２内に進入することを遮断することができる。バルブ５８は、これに限定されないが、矩形を含む任意の数の形状であり得る。多数の変形例において、内部バイパス通路７８を通る流体の流れ量は、バルブ５８を第１位置１１０と第２位置１１２との間の角度に回転させることによって、調節され得る。
【００１５】
前述した一つ以上の内部バイパス通路７８及びロータリーベーンポスト５２を有する可変型幾何学的形態タービン２２は、フレームサイズをより小さくすることができ、ＶＴＧターボチャージャの作動範囲を拡大することができる１００％開放ＶＴＧ位置でまたはその近所でピーク流れを可能にすることができる。前述した一つ以上の内部バイパス通路７８及びロータリーベーンポスト５２は、また１００％でまたはその近所で流れ範囲を確張することを越える追加可変型幾何学的形態タービン２２能力を提供することもできる。空気力学的性能（タービン効率）が増加するとき、排気ガス再循環（ＥＧＲ）を駆動することが困難になることができ、一部の場合には、不可能になることができる。一つ以上の内部バイパス通路７８が所望の条件で開放され得るように一つ以上の内部バイパス通路７８をチューニングすることによって、様々な作動条件下で深刻な効率ペナルティなしにＥＧＲを駆動するようにタービン効率が減少され得る。
【００１６】
内部バイパス通路７８及びロータリーベーンポスト５２の数は、特定の適用例において要求される所望の流れパラメータに応じて変化し得ることに留意すべきである。また、前記変形例などのうちのいずれか一つは、本発明の思想及び範囲を逸脱せずに、組合せまたは再配置され得る。
【００１７】
以下の変形例に対する説明は、単に本発明の範囲内にあると考えられる構成要素、要素、動作、製品及び方法を例示するものに過ぎず、具体的に開示されるか明示的に提示されないものによってこのような範囲を制限しようとするものでは決してない。本明細書において説明された構成要素、要素、動作、製品及び方法は、本明細書において明示的に説明されたものと異なり、組合せ及び再配置されることができ、依然として本発明の範囲内にあるものと見なされる。
【００１８】
変形例１は、タービンホイールを収容するように構成され配置された本体、前記本体の上流にあり、前記本体に動作可能に連結された流入通路、前記本体の下流にあり、前記本体に動作可能に連結された流出通路を含むタービンハウジング；前記タービン流入通路と動作可能に連通するベーンパックアセンブリであって、上部ベーンリング、下部ベーンリング、及び前記上部ベーンリングと前記下部ベーンリングとの間に介在された複数のベーン構成要素を含む、前記ベーンパックアセンブリ；及び前記下部ベーンリングまたは前記下部レーンリングの下の前記タービンハウジングのうちの少なくとも一つを通って延長する少なくとも一つの内部バイパス通路であって、前記流入通路及び前記流出通路と動作可能に連通する、前記少なくとも一つの内部バイパス通路を含み；前記少なくとも一つのベーン構成要素の第１端部は、前記少なくとも一つの内部バイパス通路内に延長され、ロータリーバルブとして作動するように構成され配置され、前記少なくとも一つの内部バイパス通路を通じて流体を防止または許容する、可変型幾何学的形態タービンを含むことができる。
【００１９】
変形例２は、前記少なくとも一つのベーン構成要素の前記第１端部が、前記少なくとも一つのベーン構成要素の前記第１端部が半円形の断面を有するように切欠き部を含む、変形例１に記載された可変型幾何学的形態タービンを含むことができる。
【００２０】
変形例３は、前記少なくとも一つのベーン構成要素の前記第１端部が、前記ロータリーバルブを形成するようにテーパーされる、変形例１に記載された可変型幾何学的形態タービンを含むことができる。
【００２１】
変形例４は、前記少なくとも一つのベーン構成要素の前記第１端部は、バルブに取り付けられる、変形例１に記載された可変型幾何学的形態タービンを含むことができる。
【００２２】
変形例５は、前記少なくとも一つのバイパス通路が、第１部分及び第２部分を含み、前記少なくとも一つのベーン構成要素は、前記第１部分が前記少なくとも一つのベーン構成要素の回転軸に垂直になるように前記第１部分を通って延長され、前記第２部分は、前記少なくとも一つのベーン構成要素の下流にある前記第１部分から前記タービンホイールの下流にある前記流出通路まで延長される、変形例１〜４のいずれか一つに記載された可変型幾何学的形態タービンを含むことができる。
【００２３】
変形例６は、前記第１部分が、前記下部ベーンリングを通って延長され、前記第２部分は、前記タービンハウジングを通って延長される、変形例１〜５のいずれか一つに記載された可変型幾何学的形態タービンを含むことができる。
【００２４】
変形例７は、前記第１部分及び前記第２部分が、前記下部ベーンリングの下の前記タービンハウジングを通って延長される、変形例１〜５のいずれか一つに記載された可変型幾何学的形態タービンを含むことができる。
【００２５】
変形例８は、前記第１部分が、前記下部ベーンリング及び前記下部ベーンリングの下の前記タービンハウジングを通って延長され、前記第２部分は、前記タービンハウジングを通って延長される、変形例１〜５のいずれか一つに記載された可変型幾何学的形態タービンを含むことができる。
【００２６】
変形例９は、前記少なくとも一つの内部バイパス通路が、円形の断面を有する、変形例１〜８のいずれか一つに記載された可変型幾何学的形態タービンを含むことができる。
【００２７】
変形例１０は、ベーンパックアセンブリの下部ベーンリングまたは前記下部ベーンリングの下のタービンハウジングのうちの少なくとも一つを通って少なくとも一つの内部バイパス通路を形成することによって、流体の流れをタービンインペラにバイパスさせるステップ；前記少なくとも一つの内部バイパス通路内にベーン構成要素の第１端部を提供するステップ；及び前記ベーン構成要素の前記第１端部をロータリーバルブとして使用して、前記少なくとも一つの内部バイパス通路を通じて流体の流れを制御するステップを含む、可変型幾何学的形態タービン内のピーク流れを増加させるための方法を含むことができる。
【００２８】
変形例１１は、前記少なくとも一つの内部バイパス通路を通る流体の流れを制御するステップが、前記ベーン構成要素を第１位置に回転させて前記少なくとも一つの内部バイパス通路を通じて流体の流れを可能にし、前記ベーン構成要素を第２位置に回転させて前記少なくとも一つの内部バイパス通路を通過する流体の流れを遮断するステップ；及び前記ベーン構成要素を前記第１と前記第２位置との間の第３位置に回転させることによって、前記少なくとも一つの内部バイパス通路を通じて流体の流れを調節するステップを含む、変形例１０に記載された方法を含むことができる。
【００２９】
変形例１２は、前記ベーン構成要素の前記第１端部の一部を切断して前記ロータリーバルブを形成するステップをさらに含む、変形例１０または１１に記載された方法を含むことができる。
【００３０】
変形例１３は、前記ベーン構成要素の前記第１端部の一部を９０度未満の角度で研削して、前記ロータリーバルブを形成するステップをさらに含む、変形例１０または１１に記載された方法を含むことができる。
【００３１】
変形例１４は、前記ロータリーバルブとして作動するように前記ベーン構成要素の前記第１端部内にバルブを形成するステップをさらに含む、変形例１０または１１に記載された方法を含むことができる。
【００３２】
変形例１５は、前記ロータリーバルブとして作動するように前記ベーン構成要素の前記第１端部にバルブを取り付けるステップをさらに含む、変形例１０または１１に記載された方法を含むことができる。
【００３３】
変形例１６は、流入通路、前記流入通路の下流にある本体、前記本体の下流にある流出通路を有するタービンハウジング、前記本体に回転可能に取り付けられたタービンホイール、前記流入通路と動作可能に連通する前記ベーンパックアセンブリを含むタービンを提供するステップであって、前記ベーンパックアセンブリが上部ベーンリング、下部ベーンリング、及び前記上部ベーンリングと前記下部ベーンリングとの間に介在された複数のベーン構成要素を含む、前記タービンを提供するステップ；前記下部ベーンリングまたは前記下部ベーンリングの下のタービンハウジングのうちの少なくとも一つを通って少なくとも一つの内部バイパス通路を形成するステップであって、前記少なくとも一つの内部バイパス通路が前記流入通路から前記タービンホイールをバイパスする前記流出通路まで延長される、前記内部バイパス通路を形成するステップ；前記複数のベーン構成要素のうちの少なくとも一つを前記少なくとも一つの内部バイパス通路内に提供するステップ；前記複数のベーン構成要素のうちの少なくとも一つの第１端部をロータリーバルブとして使用するステップ；前記複数のベーン構成要素のうちの少なくとも一つを開放位置に回転させて流体が前記少なくとも一つの内部バイパス通路を通って流れるようにするステップ；及び前記複数のベーン構成要素のうちの少なくとも一つを閉鎖位置に回転させて流体が前記少なくとも一つの内部バイパス通路内に進入することを防止するステップを含む、流体の流れをタービンホイールにバイパスさせて可変型幾何学的形態タービンターボチャージャ内のピーク流れを増加させるための方法を含むことができる。
【００３４】
変形例１７は、前記複数のベーン構成要素のうちの少なくとも一つを前記開放位置と前記閉鎖位置との間で回転させることによって、前記少なくとも一つのバイパス通路を通じて流体の流れを調節するステップをさらに含む、変形例１６に記載された方法を含むことができる。
【００３５】
本発明の範囲内の選択的変形例の前記説明は、本質的に単純に例示するものに過ぎず、従って、その変形または変形例は、本発明の思想及び範囲から逸脱するものと見なされるべきではない。
【図１】
2018035806.tif 000002
【図２】
2018035806.tif 000003
【図３】
2018035806.tif 000004
【図４】
2018035806.tif 000005
【図５】
2018035806.tif 000006
【図６】
2018035806.tif 000007
【図７】
2018035806.tif 000008
【図８】
2018035806.tif 000009
【図９】
2018035806.tif 000010
【図１０】
2018035806.tif 000011
【図１１】
2018035806.tif 000012
【図１２】
2018035806.tif 000013
【図１３】
2018035806.tif 000014
【図１４】
2018035806.tif 000015